(57)【要約】【課題】動作整定倍率の検討を省略しつつ、励磁突入電流を検出して、不要なトリップ指令の出力を回避できる比率差動継電器を提供する。【解決手段】変圧器２の保護に適用する比率差動継電器３であって、変圧器２の一次側に接続された遮断器１の開閉の状態を取り込む状態取込部３３と、遮断器１の開閉の状態を記憶する記憶部３４と、瞬時電流の異常があった場合に、記憶部３４に記憶された遮断器１の開閉の状態が開状態であればトリップ指令を出力すると判定せず、閉状態であればトリップ指令を出力すると判定するトリップ判定部３６と、トリップ判定部３６がトリップ指令を出力すると判定した場合に、遮断器１にトリップ指令を出力する出力部３７とを有する。【選択図】図１
2017112773.tif 000002
【特許請求の範囲】
【請求項１】
変圧器の保護に適用する比率差動継電器であって、
前記変圧器の一次側に接続された遮断器の開閉の状態を取り込む状態取込部と、
前記遮断器の開閉の状態を記憶する記憶部と、
瞬時電流の異常があった場合に、前記記憶部に記憶された前記遮断器の開閉の状態が開状態であればトリップ指令を出力すると判定せず、閉状態であればトリップ指令を出力すると判定するトリップ判定部と、
前記トリップ判定部がトリップ指令を出力すると判定した場合に、前記遮断器にトリップ指令を出力する出力部と、
を有することを特徴とする比率差動継電器。
【請求項２】
前記状態取込部は、前記遮断器からの開閉の状態を示す信号を取り込むことを特徴とする請求項１記載の比率差動継電器。
【請求項３】
前記状態取込部は、
前記変圧器の一次側の電流を取り込む一次電流取込部と、
前記一次側の電流に基づいて、前記遮断器の開閉の状態を判定する状態判定部と、
を有することを特徴とする請求項１記載の比率差動継電器。
【発明の詳細な説明】
【技術分野】
【０００１】
本発明の実施形態は、変圧器の保護に適用する比率差動継電器に関する。
【背景技術】
【０００２】
一般的に、電力系統に存在する変圧器の保護等のために、比率差動継電器が用いられている。比率差動継電器は、変圧器の一次側に流入する電流と二次側から流出する電流の差分や比率が、あらかじめ整定した値以上となった場合に、事故と判定する比率特性を持つ。そして、事故と判定した場合、比率差動継電器は、遮断器に対してトリップ指令を出力する。これにより遮断器が開状態となるので、事故が発生した箇所を健全な系統から解列し、さらなる事故の拡大を防ぐことができる。
【０００３】
変圧器の一次側に流入する電流と二次側から流出する電流は、それぞれに設置された変流器により測定する。この一次側の変流器から二次側の変流器までの区間を、保護区間と呼ぶ。
【０００４】
比率差動継電器は、保護区間内に生じた事故は、変圧器本体の故障も含めて、確実に動作しなければならない。このような事故を、内部事故と呼ぶ。一方、保護区間外において事故が発生した場合には、比率差動継電器は動作してはならない。このような事故を、外部事故と呼ぶ。
【０００５】
保護区間内の変圧器において、定常状態で流れる電流は小さい。このため、定常状態での電流によって、比率差動継電器が動作することはない。しかし、無負荷無励磁状態にある変圧器に対して、遮断器を開状態から閉状態に操作し、変圧器に電圧が印加されると、瞬間的に励磁突入電流が流れる。
【０００６】
これは、以下のような原理による。変圧器の一次側のコイルには、鉄心に磁束を発生させて二次側のコイルに電圧を誘起するために、電源を投入して励磁電流を流す必要がある。励磁突入電流は、電源の投入における磁束の過渡密度によって発生する。
【０００７】
例えば、電源の投入により、一次側のコイルに電圧が印加されると、鉄心内の磁束は投入前の残留磁束によって、直流励磁が重畳した状態となる。すると、鉄心中の磁束は、飽和磁束を超える値となる。鉄心が飽和すると励磁インダクタンスが減少するので、励磁電流を制限するように働くリアクタンスが減少し、過渡的に大きな電流が流れる。
【０００８】
このような励磁突入電流は、遮断器を開状態から閉状態として変圧器に電圧を印加する度に発生するものであり、設計段階でこれに耐え得る変圧器が選択されている。このため、励磁突入電流が流れた場合であっても問題はなく、遮断器は継続して閉状態を維持すべきである。
【０００９】
しかしながら、比率差動継電器は瞬時要素を持つ。瞬時要素は、短絡事故による瞬時の大電流により動作して、保護区間を保護する要素である。励磁突入電流は、電圧印加端子から流入するのみで流出がなく、定格電流をはるかに上回る大電流である。しかし、かかる励磁突入電流よりも、短絡事故による電流の方が大きい。従って、瞬時要素は、短絡事故では動作する必要があるが、励磁突入電流では動作をロックするようにあらかじめ整定が必要となる。
【００１０】
整定は、比率差動継電器が動作する基準となる設定値を、あらかじめ計算して定めることをいう。この整定は、主としてタップ値、比率タップ、動作整定倍率を含む。タップ値は、一次側と二次側の変流器の変流比、変圧器の一次側と二次側の結線の相違による位相差等を考慮して、電流値を比較対象として整合させるための値である。比率タップとは、一次側と二次側の電流値の比率がどの程度ずれたら動作するかという値である。さらに、動作整定倍率は、一時的にタップ値の何倍の電流が流れた場合に動作するかという値である。
【００１１】
タップ値及び比率タップの選定は、変圧器の定格と変流器の定格から比率差動継電器に流れる電流値を計算して行っている。動作整定倍率は、設計段階で励磁突入電流値を確認し、励磁突入電流値が流れた際に瞬時要素が動作しない値を設定している。
【先行技術文献】
【特許文献】
【００１２】
【特許文献１】特開２０１４−１４３８６９号公報
【発明の概要】
【発明が解決しようとする課題】
【００１３】
しかしながら、整定は設計者が行うため、設計者自身が経験したことのないケース、検討不足、見落としなどにより、整定に誤りが起こる可能性がある。もし、整定に誤りがあった場合、事故ではないにも関わらず、遮断器を開状態としてしまうことになる。特に、動作整定倍率に誤りがあった場合、励磁突入電流であっても、遮断器を開状態としてしまう可能性がある。
【００１４】
本発明の実施形態は、上記のような従来技術の問題点を解決するために提案されたものであり、その目的は、動作整定倍率の検討を省略しつつ、励磁突入電流を検出して、不要なトリップ指令の出力を回避できる比率差動継電器を提供することにある。
【課題を解決するための手段】
【００１５】
上記の課題を解決するために、本発明の実施形態は、変圧器の保護に適用する比率差動継電器であって、前記変圧器の一次側に接続された遮断器の開閉の状態を取り込む状態取込部と、前記遮断器の開閉の状態を記憶する記憶部と、瞬時電流の異常があった場合に、前記記憶部に記憶された前記遮断器の開閉の状態が開状態であればトリップ指令を出力すると判定せず、閉状態であればトリップ指令を出力すると判定するトリップ判定部と、前記トリップ判定部がトリップ指令を出力すると判定した場合に、前記遮断器にトリップ指令を出力する出力部とを有する。
【図面の簡単な説明】
【００１６】
【図１】実施形態の比率差動継電器の接続構成図
【図２】実施形態の比率差動継電器を示すブロック図
【図３】整定の手順を示すフローチャート
【図４】実施形態の比率差動継電器の動作を示すフローチャート
【図５】外部事故における電流の流れを示す説明図
【図６】内部事故における電流の流れを示す説明図
【図７】他の実施形態の比率差動継電器を示すブロック図
【発明を実施するための形態】
【００１７】
実施形態の比率差動継電器を、図面を参照して説明する。
［構成］
図１に示すように、遮断器１、変圧器２を有する系統に、比率差動継電器３が変流器４、５を介して接続されている。遮断器１は、トリップ指令を受けて開状態となることにより、事故の発生個所を健全な系統から解列する開閉器である。トリップ指令は、遮断器１を開状態とする指令である。
【００１８】
変圧器２は、一次側のコイルに流れる励磁電流による誘導起電力の電圧を、磁気結合により二次側のコイルに生じる誘導起電力の電圧に変換する機器である。本実施形態では、遮断器１に接続された側を一次側とするが、一次側と二次側で具体的な変圧比等がどのような値であるかは問わない。
【００１９】
変流器４は、変圧器２の一次側の電流を測定用の電流に変換して、比率差動継電器３に供給する。変流器５は、変圧器２の二次側の電流を測定用の電流に変換して、比率差動継電器３用に供給する。
【００２０】
比率差動継電器３は、変圧器２の保護に適用される継電器である。つまり、変流器４、５から供給された電流に基づいて、異常を検出した場合に、遮断器１に対してトリップ指令を出力する装置である。この比率差動継電器３は、変圧器２の一次側に流入する電流と、二次側から流出する電流の差分及び比率に基づく演算値が、あらかじめ整定した値以上になった場合に、異常と判定する比率特性を持つ。
【００２１】
より具体的には、比率差動継電器３は、図２に示すように、一次電流取込部３１、二次電流取込部３２、状態取込部３３、記憶部３４、異常検出部３５、トリップ判定部３６、出力部３７を有する。一次電流取込部３１は、変流器４からの電流を取り込んで異常検出部３５に入力する。二次電流取込部３２は、変流器５からの電流を取り込んで異常検出部３５に入力する。
【００２２】
状態取込部３３は、遮断器１の開閉の状態を取り込む。つまり、状態取込部３３は、遮断器１に接続され、遮断器１から出力される開閉の状態を示す信号を取り込む。遮断器１からの信号の入力は、遮断器１が開閉する毎に行われる。記憶部３４は、状態取込部３３が取り込んだ遮断器１の開閉状態を記憶する。記憶部３４は、例えば、メモリ等の記憶媒体によって構成できる。また、開か閉かの状態を記憶できればよいので、スイッチ等により構成することもできる。
【００２３】
異常検出部３５は、一次側及び二次側の電流に基づいて、異常を検出する。ここでいう異常は、事故、故障により起因して流れる電流、励磁突入電流を含む。異常検出部３５は、差電流検出部３５ａ、リレー演算部３５ｂ、瞬時要素３５ｃ、比率要素３５ｄを有する。差電流検出部３５ａは、一次電流取込部３１が取り込んだ一次側の電流と、二次電流取込部３２が取り込んだ二次側の電流の差分及び比率を検出する。
【００２４】
リレー演算部３５ｂは、差電流検出部３５ａが検出した差分及び比率に基づいて、異常が発生したか否かを判定する演算を行う。この演算は、上記のように、あらかじめ整定されたタップ値、比率タップ、動作整定倍率に従う。瞬時要素３５ｃは、瞬時電流が、動作整定倍率に基づく整定値を超えた場合に、動作する要素である。比率要素３５ｄは、一次側と二次側の電流の比率が比率タップの整定値を超えた場合に、動作する要素である。
【００２５】
トリップ判定部３６は、瞬時電流の異常があった場合に、記憶部３４に記憶された遮断器１の開閉の状態に応じて、トリップ指令を出力するか否かを判定する。つまり、トリップ判定部３６は、開状態であればトリップ指令を出力すると判定せず、閉状態であればトリップ指令を出力すると判定する。
【００２６】
出力部３７は、トリップ判定部３６がトリップ指令を出力すると判定した場合に、遮断器１にトリップ指令を出力する。そして、出力部３７は、トリップ判定部３６がトリップ指令を出力すると判定しない場合には、トリップ指令を出力しない。また、出力部３７は、一次側と二次側の電流の比率に異常があった場合に、遮断器１にトリップ指令を出力する。つまり、比率要素３５ｄが動作した場合には、出力部３７がトリップ指令を出力する。
【００２７】
［作用］
以上のような本実施形態の作用を、図３〜６を参照して説明する。
［整定］
設計時に検討する整定の項目及び手順を、図３のフローチャートを参照して説明する。なお、整定は、設計者が人間系により行う作業である。まず、変圧器２の定格容量、定格一次電圧、定格二次電圧に基づいて、変圧器２の一次定格電流及び二次定格電流を算出する（ステップＳ０１）。これらの算出値と、変流器４、５の定格に基づいて、比率差動継電器３に流れる一次側と二次側の入力電流を算出する（ステップＳ０２）。
【００２８】
変圧器２の一次側の変流器４と二次側の変流器５とは、必ずしも同定格とは限らない。このため、比率差動継電器３の一次側、二次側に流れる電流値から、入力電流比を確認して、両者を比較対象として整合させるタップ値を選定する（ステップＳ０３）。また、両者の比率がずれた場合に動作するための比率タップを選定する（ステップＳ０４）。
【００２９】
さらに、一般的な整定では、励磁突入電流に相当する入力電流を算出し（ステップＳ０５）、動作整定倍率を選定する必要がある（ステップＳ０６）。しかし、本実施形態においては、このような励磁突入電流の算出、動作整定倍率の選定を省略することができる。
【００３０】
［異常検出］
次に、比率差動継電器３の動作を、図４のフローチャートを参照して説明する。なお、図４は、入力電流に基づいて、トリップ指令が出力される場合又はされない場合の処理を抽出したものである。この処理は、比率差動継電器３が動作している間、継続的に繰り返されている。なお、状態取込部３３は、遮断器１が開閉する毎に、その開閉の状態を取り込んで、これを記憶部３４が記憶している。
【００３１】
まず、一次電流取込部３１、二次電流取込部３２は、変流器４からの一次側の電流及び変流器５からの二次側の電流を取り込んで、異常検出部３５に入力する（ステップＳ１１）。
【００３２】
差電流検出部３５ａは、一次側の電流と、二次側の電流の差分及び比率を検出する（ステップＳ１２）。リレー演算部３５ｂは、差電流検出部３５ａが検出した差分及び比率に基づいて、異常が発生したか否かを判定する演算を行う（ステップＳ１３）。
【００３３】
なお、比率差動継電器３は、内部事故に対しては動作するが、外部事故に対しては動作しない。外部事故が発生した場合の電流の向きを、図５に破線の矢印で示す。図５から分かる通り、外部事故の場合、電流の向きが一次側、二次側共に同方向である。このため、差電流検出部３５ａにより電流差は検出されないため、リレー演算部３５ｂは動作しない。
【００３４】
一方、内部事故の場合、図６に示すように、電流の向きが一次側、二次側が逆方向となる。このため、差電流検出部３５ａにより電流差が検出され、リレー演算部３５ｂが保護区間内の異常と判定する。
【００３５】
リレー演算部３５ｂによるリレー演算の結果、瞬時電流が動作整定倍率に基づく整定値を超えた場合、瞬時要素３５ｃが動作する（ステップＳ１４のＹＥＳ）。
【００３６】
瞬時要素３５ｃが動作する場合、トリップ判定部３６は、記憶部３４に記憶された遮断器１の開閉の状態からトリップ出力をするか否かを判定する（ステップＳ１５）。ここで、遮断器１が開状態であった場合（ステップＳ１６のＹＥＳ）、トリップ判定部３６はトリップ出力すると判定せず、出力部３７はトリップ指令を出力しない。記憶部３４に記憶された状態が開でありながら、瞬時要素３５ｃが動作する瞬時電流は、遮断器１が開から閉に切り替わった時の励磁突入電流と考えられる。このため、トリップ指令をロックする。
【００３７】
なお、遮断器１が開閉される毎に、その開閉の状態は状態取込部３３により取り込まれるが、その速度は、開状態から閉状態に切り替わった瞬間に流れる励磁突入電流よりも遅い。このため、本実施形態では、異常な瞬時電流を検出した時点で、記憶部３４に記憶された状態が開であった場合に、開状態から閉状態に切り替わったことにより生じた励磁突入電流であるとして、トリップさせずに閉状態を維持させる。
【００３８】
一方、遮断器１の状態が閉であった場合（ステップＳ１６のＮＯ）、トリップ判定部３６はトリップ出力をすると判定し、出力部３７はトリップ指令を出力する（ステップＳ１７）。記憶部３４に記憶された状態が閉で、瞬時要素３５ｃが動作する場合には、遮断器１が継続的に閉状態にある場合の異常な電流、つまり、事故電流であると考えられる。このため、トリップ指令が出力され、これを受けた遮断器１は開状態となり、事故電流を遮断する。
【００３９】
また、瞬時要素３５ｃが動作しない場合であっても（ステップＳ１４のＮＯ）、比率要素３５ｄが動作した場合には（ステップＳ１８のＹＥＳ）、出力部３７がトリップ指令を出力する（ステップＳ１７）。これにより、トリップ指令を受けた遮断器１は、開状態となり、事故電流を遮断する。さらに、瞬時要素３５ｃ及び比率要素３５ｄが動作しない場合には（ステップＳ１８のＮＯ）、励磁突入電流でも事故電流でもないとして、出力部３７はトリップ指令を出力しない。
【００４０】
［効果］
以上のような本実施形態は、変圧器２の保護に適用する比率差動継電器３であって、変圧器２の一次側に接続された遮断器１の開閉の状態を取り込む状態取込部３３と、遮断器１の開閉の状態を記憶する記憶部３４と、瞬時電流の異常があった場合に、記憶部３４に記憶された遮断器１の開閉の状態が開状態であればトリップ指令を出力すると判定せず、閉状態であればトリップ指令を出力すると判定するトリップ判定部３６と、トリップ判定部３６がトリップ指令を出力すると判定した場合に、遮断器１にトリップ指令を出力する出力部３７とを有する。
【００４１】
従来は、設計の段階で、励磁突入電流が流れる際に比率差動継電器３に流れる電流値を算出し、瞬時要素３５ｃが動作しない動作整定倍率を選定していた。そして、遮断器１の状態を取り込むという発想は存在しなかった。
【００４２】
一方、本実施形態では、遮断器１の開閉の状態を比率差動継電器３に取り込むことで、励磁突入電流発生時における比率差動継電器３のトリップ出力を整定によってロックすることが不要となる。つまり、直前の遮断器１の開閉の状態に応じて、トリップ出力をロックさせることができるので、設計者による整定を省略することができ、検討不足や見落としなどによる誤りを防ぐことができる。さらに、設計者が計算する作業を省くことができるため、設計時間の短縮化に繋がる。
【００４３】
しかも、遮断器１における開状態から閉状態への変化を瞬時に検出する必要はなく、励磁突入電流の検出時に、記憶部３４に記憶された状態が開であることを検出するだけでトリップ出力をロックできる。このため、構成及び処理を簡略化しつつ、トリップ出力の判定を正確に行うことができる。
【００４４】
［他の実施形態］
本実施形態は、上記の態様には限定されない。
（１）上記の態様では、状態取込部３３は、遮断器１から開閉の状態を示す信号を取り込んでいた。これに対して、一次電流取込部３１が取り込む一次側の電流から、遮断器１の開閉状態を検知してもよい。つまり、図７に示すように、状態取込部３３を、一次電流取込部３１及び状態判定部３８により構成することができる。状態判定部３８は、一次電流から遮断器１の開閉状態を判定する。つまり、状態判定部３８は、遮断器１の開閉動作時の一次電流の挙動、パターン等から、開状態、閉状態を判定する。そして、状態判定部３８が判定した遮断器１の開閉状態を、記憶部３４が記憶する。これにより、遮断器１から直接状態を取り込む経路を省略することができる。
【００４５】
（２）比率差動継電器３における演算処理は、ＣＰＵを含むコンピュータを所定のプログラムで制御することによって実現できる。この場合のプログラムは、コンピュータのハードウェアを物理的に活用することで、上記のような処理を実現するものである。このため、上記の処理を実行する方法、プログラム及びプログラムを記録した記録媒体も、実施形態の一態様である。また、ハードウェアで処理する範囲、プログラムを含むソフトウェアで処理する範囲をどのように設定するかは、特定の態様には限定されない。たとえば、上記の各部のいずれかを、それぞれの処理を実現する回路として構成することも可能である。異常検出部３５の構成も、瞬時電流の異常を検出できればよく、上記の態様には限定されない。
【００４６】
（３）実施形態において、整定した各種の値に対する大小判断、一致不一致の判断等において、以上、以下として値を含めるように判断するか、より大きい、上回る、超える、より小さい、下回るとして値を含めないように判断するかの設定は自由である。
【００４７】
（４）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４８】
１  遮断器
２  変圧器
３  比率差動継電器
４、５  変流器
３１  一次電流取込部
３２  二次電流取込部
３３  状態取込部
３４  記憶部
３５  異常検出部
３５ａ  差電流検出部
３５ｂ  リレー演算部
３５ｃ  瞬時要素
３５ｄ  比率要素
３６  トリップ判定部
３７  出力部
【図１】
2017112773.tif 000003
【図２】
2017112773.tif 000004
【図３】
2017112773.tif 000005
【図４】
2017112773.tif 000006
【図５】
2017112773.tif 000007
【図６】
2017112773.tif 000008
【図７】
2017112773.tif 000009